(57)【特許請求の範囲】
【請求項１】
軒樋吊持腕を前方に突設した複数の軒樋吊り具と、各軒樋吊り具の鼻板固定部の裏面と鼻板の前面との間に介在する介装板とを備え、各介装板に上下に長い縦長穴を穿設し、軒樋吊り具の鼻板固定部に穿設した貫通孔と上記縦長穴とを挿通して鼻板に打入した固定具によって各軒樋吊り具とこれに対応する介装板とを鼻板に固定し、複数の軒樋吊り具をこれら複数の軒樋吊り具によって支持される軒樋の水流れ方向において徐々に上下位置が低くなるように固定した軒先構造であって、
対応する軒樋吊り具の鼻板固定部より下方に位置する介装板の下端部に吊り下げ物を吊持するためのフック部を設け、フック部を同じ高さ位置に位置させて複数の介装板を鼻板に固定したことを特徴とする軒先構造。
【発明の詳細な説明】
【技術分野】
【０００１】
本発明は、軒先構造に関するものである。
【背景技術】
【０００２】
従来から、軒下空間を利用して物干し竿や簾やプランターなどの吊り下げ物を配置しようとする試みが行われており、たとえば吊り下げ物は鼻板や軒天井材等に取り付けたフック具に引っ掛けるなどして吊持されているが、フック具が大掛かりなものであったりした場合には、軒先の外観に現出されたフック具によって建物の外観イメージを悪くするという問題があった（たとえば特許文献１参照）。
【０００３】
そこで、従来では図６のように、軒先に軒樋３を配置させる軒樋吊り具１に対して、吊り下げ物５を吊持させるフック部１０を備えることが提案されている（たとえば特許文献２参照）。詳しくは、軒樋吊り具１は鼻板４に固定される板状の鼻板固定部７から軒樋３を吊持する軒樋吊持腕６が前方に突出されて形成されており、鼻板固定部７にフック部１０が設けられているのであるが、この例ではフック部１０は鼻板固定部７に対して上位置である収納位置と下位置である吊り下げ位置とが選択可能にされて設けられている。これによると軒先に配設した軒樋３や軒樋吊り具１にフック部１０が大部分が隠匿されたり、殊に軒樋吊り具１と別の場所に別個フック具を取り付けたりする必要が無くて、軒先の外観に比較的目立たないようにフック部１０を配置できる利点がある。
【０００４】
しかしながら、上記例の鼻板固定部７にフック部１０を設けた軒樋吊り具１は、フック部１０を備えない従前一般の軒樋吊り具１とは別に新たに製造されて従前一般の軒樋吊り具１の代わりに使用されるものであり、コスト的にはあまり好ましいものではない。またフック部１０の配置位置は軒樋吊り具１の鼻板４への固定位置に応じて決まるものであり、ここで軒樋吊り具１は鼻板４の軒長さ方向に複数配置されるが、通常、軒樋３の水勾配に合わせてその高さ位置が各軒樋吊り具１の間で異なるように配置されるのであり、たとえば吊り下げ物５がすだれや物干し竿５１などの架設物であった場合には、複数の軒樋吊り具１のフック部１０に架け渡した架設物が軒樋３の水勾配と同様の傾斜がつけられることとなって、吊持バランスが悪く、物干し竿５１に引っ掛けた洗濯物がその長手方向に滑り落ちるなど、架設物の機能障害などが生じたりする恐れもある、という問題があった。
【特許文献１】特開２０００−２９１２１５号公報
【特許文献２】特開２００６−３７４２８号公報
【発明の開示】
【発明が解決しようとする課題】
【０００５】
本発明は上記の点に鑑みてなされたものであり、その目的とするところは、建物の外観イメージの低下や吊り下げ物の機能障害等を回避しつつ、吊り下げ物を低コストで軒先に吊持可能にする軒先構造を提供することを課題とするものである。
【課題を解決するための手段】
【０００６】
上記課題を解決するために請求項１に係る軒先構造にあっては、軒樋吊持腕６を前方に突設した複数の軒樋吊り具１と、各軒樋吊り具１の鼻板固定部７の裏面と鼻板４の前面との間に介在する介装板２とを備え、各介装板２に上下に長い縦長穴９を穿設し、軒樋吊り具１の鼻板固定部７に穿設した貫通穴８と上記縦長穴９とを挿通して鼻板４に打入した固定具１１によって各軒樋吊り具１とこれに対応する介装板２とを鼻板４に固定し、複数の軒樋吊り具１をこれら複数の軒樋吊り具１によって支持される軒樋３の水流れ方向において徐々に上下位置が低くなるように固定した軒先構造であって、対応する軒樋吊り具１の鼻板固定部７より下方に位置する介装板２の下端部に吊り下げ物５を吊持するためのフック部１０を設け、フック部１０を同じ高さ位置に位置させて複数の介装板２を鼻板４に固定したことを特徴とする。
【０００７】
これによると、所望の軒先部分に吊り下げ物５を吊り下げたいときには、その部位の鼻板４に固定する軒樋吊り具１と一緒に介装板２を鼻板４に固定すればよく、つまり通常の軒樋吊り具１の固定構造を利用して介装板２を介装させるというコスト的にも有利で且つ簡単な構造で、比較的目立たないようにフック部１０を位置させて吊り下げ物５の吊り下げを可能にできる。そして、この介装板２は縦長穴９内での固定具１１の挿通位置に応じて任意の上下高さ位置で鼻板４に固定でき、つまり軒樋吊り具１の配置位置によらず、所望の高さ位置で吊り下げ物５をフック部１０に吊持させることができるのである。ここで、たとえば吊り下げ物５が簾５０や物干し竿５１のような架設物の場合には吊り下げ物５を複数箇所で吊持することになるが、軒樋３の水勾配に合わせた位置に配置される軒樋吊り具１によらず複数のフック部１０を所定の同高さ位置に位置させることで、架設物を水平に架設させることもできるのである。
【発明の効果】
【０００８】
本発明にあっては、建物の外観イメージの低下や吊り下げ物の機能障害等を回避しつつ、吊り下げ物を低コストで軒先に吊持可能にする、という利点を有する。
【発明を実施するための最良の形態】
【０００９】
以下、本発明を添付図面に示す実施形態に基いて説明する。
【００１０】
軒先にはその軒長さ方向に沿って軒樋３が配置される。この軒樋３は軒先に配設された鼻板４の前面に取り付けた軒樋吊り具１によって支持される。
【００１１】
この軒樋吊り具１は従前から存在する一般的なもので、図１，２のように鼻板４の前面に沿わせる鉛直板状の鼻板固定部７と、この鼻板固定部７の左右中央部から前方に突設されて軒樋３を支持する軒樋吊持腕６とを有して構成されている。詳しくは、軒樋吊持腕６の突出先端部には軒樋３の前耳３ａを係止する前耳係止部６ａが形成され、軒樋吊持腕６の突出基端部には軒樋３の後耳３ｂを係止する後耳係止部６ｂが形成されている。鼻板固定部７には中央の軒樋吊持腕６の左右両側にそれぞれ貫通穴８が穿設されている。本例では貫通穴８は鼻板固定部７内で上下に並ぶように配置されている。軒樋吊り具１は、鼻板固定部７の貫通穴８に前方からネジや釘等の固定具１１を挿通して鼻板４に打入することで、鼻板４に固定される。
【００１２】
軒樋３は長尺部材であり、鼻板４の前面における軒長さ方向の複数個所に取り付けた複数の軒樋吊り具１によって、その長さ方向の複数箇所が支持されるのであるが、軒樋３に水勾配を設けるために、各軒樋吊り具１の鼻板４への固定位置は軒樋３の水流れ方向でその上下高さが徐々に低くなるように設定される。
【００１３】
ここで、たとえば窓に臨む等の所望の軒下空間に吊り下げ物５を配置したいというユーザーの要望があるが、これに対応するために本例では、上記所望の軒下空間に対応する軒樋吊り具１の鼻板固定部７の裏面と鼻板４の前面との間に、吊り下げ物５を吊持するためのフック部１０を設けた介装板２を介在させ、この介装板２を上記固定具１１で軒樋吊り具１の鼻板固定部７と共に鼻板４に固定させることで、所望の軒下空間にフック部１０を備えるようにして、このフック部１０に吊り下げ物５を吊持可能にすることが行われる。
【００１４】
上記介装板２は、図３，４に示すような金属製の板材であり、鉛直板状の被挟持部１２の左右中央部の下縁から下方に舌片状のフック部１０を突設させて形成されている。
【００１５】
詳しくは、被挟持部１２は、正面視で軒樋吊り具１の鼻板固定部７と略同等の左右寸法及び上下寸法を有する矩形板状に形成されており、その左右縁部には上下に長い縦長穴９がそれぞれ穿設されている。この縦長穴９は被挟持部１２を軒樋吊り具１の鼻板固定部７に左右端を揃えて重ねたときに鼻板固定部７の貫通穴８と連通するようにされている。
【００１６】
また、フック部１０は、被挟持部１２から鉛直下方に延出された垂下部１３と、この垂下部１３の下端から延出されて前側且つ上方に折り曲げたＵ字屈曲部１４と、Ｕ字屈曲部１４の延出先端から上方に立ち上がる起立部１５とから成り、全体で側断面略Ｊ字状に形成されている。
【００１７】
Ｕ字屈曲部１４は、吊り下げ物５の吊り下げ用索体５ａを吊持する部分であるが、吊り下げ用索体５ａが鎖リングを繋げて成る細い鎖である場合に鎖リング内にＵ字屈曲部１４を通して吊持可能にするべく、垂下部１３や起立部１５よりも左右寸法を小さく形成してある。なお、垂下部１３と起立部１５とは略同幅の左右寸法を有し、上記左右寸法の小さいＵ字屈曲部１４の左右縁との間に段１７が形成されている。この段１７によるとＵ字屈曲部１４に吊持した吊り下げ物５の吊り下げ用索体５ａのフック部１０からの抜け外れを防止できる。
【００１８】
垂下部１３は、フック部１０の強度を確保するため、その左右縁が被挟持部１２の下縁とＲ形状に連続する形状に形成されると共に、上記左右縁には前方に屈曲したフランジ壁部１６が被挟持部１２の下縁から連続するように形成されている。
【００１９】
起立部１５は上端側ほど垂下部１３の前面に近づくように形成されており、吊り下げ用索体５ａのフック部１０からの抜け外れを防止するために、起立部１５の上端と垂下部１３との隙間ｓの前後幅Ｌ１をＵ字屈曲部１４の前後幅Ｌ２よりも小さく形成している（図４（ｂ））。
【００２０】
上記前後幅が狭くされた起立部１５の上端と垂下部１３との隙間ｓにあっては吊り下げ物５の吊り下げ用索体５ａを通りにくくするものであるが、起立部１５の上端と垂下部１３との隙間ｓに近づくにつれてフランジ壁部１６の垂下部１３からの前方突出量が小さくされていて、このフランジ壁部１６の前端面を起立部１５の上端と垂下部１３との隙間ｓに向かうガイドとして利用することで、Ｕ字屈曲部１４に吊持させるべく上記起立部１５の上端と垂下部１３との隙間ｓに向けて吊り下げ物５の吊り下げ用索体５ａを導くように挿入させることができるのであり、その挿入性は良好にされている。
【００２１】
叙述のようにこの介装板２は、所望の軒樋吊り具１の鼻板固定部７と鼻板４との間に介在されて固定具１１によって鼻板固定部７と共に鼻板４に固定されるのであるが、詳しくは、固定具１１は連通した鼻板固定部７の貫通穴８と介装板２の縦長穴９とを挿通して鼻板４に打入され、介装板２の被挟持部１２が鼻板固定部７の裏面と鼻板４の前面とで挟持固定されるようになっている。
【００２２】
このように介装板２の被挟持部１２が軒樋吊り具１の鼻板固定部７で隠匿されるように軒樋吊り具１と共に介装板２を鼻板４に固定したことで、介装板２の露出面積を抑制できて介装板２を外観上極力目立たせないようにできる。なお、フック部１０は鼻板固定部７よりも下方に位置していて鼻板固定部７では隠匿されないのであるが、軒樋吊り具１にて配設した軒樋３によって隠匿させたり軒樋吊り具１の一部であるような偽装外観を呈することができ、軒先の外観上目立たなくできたものである。
【００２３】
更に言うと、叙述のように介装板２の被挟持部１２は軒樋吊り具１の鼻板固定部７と正面視で略同寸法とされているから、被挟持部１２と鼻板固定部７とを略ぴったりに重ねると、正面から見たときに鼻板固定部７で被挟持部１２を完全に隠匿することができ、介装板２、ひいてはフック部１０を更に外観上目立たなくできる。
【００２４】
ここで、介装板２はその縦長穴９と鼻板固定部７の貫通穴８とが連通して固定具１１を挿通できる範囲で上下高さ位置を自由に設定できるのであり、介装板２は所定高さ位置に設定した上で軒樋吊り具１と共に鼻板４に固定される。詳しくは、介装板２の鼻板４への固定作業は、まず軒樋３の水勾配等を鑑みて決定した配置位置に軒樋吊り具１を位置させた上で固定具１１を貫通穴８と介装板２の縦長穴９とに挿通して鼻板４に仮打入し、次いで介装板２を所望の高さ位置に位置させて固定具１１を鼻板４に本打入する、といったように行われる。したがって、フック部１０に吊持する吊り下げ物５の高さ位置を、軒樋吊り具１の配置位置によらず、所望の高さ位置に設定できる。
【００２５】
このように、所望の軒先部分に吊り下げ物５を吊り下げたいときには、その部位の鼻板４に固定する軒樋吊り具１と一緒に介装板２を鼻板４に固定すればよく、つまり通常の軒樋吊り具１の固定構造を利用して介装板２を介装させるというコスト的にも有利で且つ簡単な構造で、比較的目立たないようにフック部１０を位置させて吊り下げ物５の吊り下げを可能にできたのである。そして、この介装板２は縦長穴９内での固定具１１の挿通位置に応じて任意の上下高さ位置で鼻板４に固定できるから、つまり軒樋吊り具１の配置位置によらず、所望の高さ位置で吊り下げ物５をフック部１０に吊持させることができるのである。
【００２６】
ここで、吊り下げ物５がたとえば簾５０や物干し竿５１のような架設物の場合には、吊り下げ物５の長さ方向の複数箇所を複数の介装板２のフック部１０によって吊持することになる。軒樋吊り具１は通常、軒樋３の水勾配に合わせた位置に配置されることとなるが、介装板２は叙述のように軒樋吊り具１の配置位置によらず所望の高さ位置に設定して鼻板４に固定できるから、図５のように複数の介装板２のフック部１０を所定の同高さ位置に位置させるようにそれぞれ軒樋吊り具１と共に鼻板４に固定させることで、同高さ位置の複数のフック部１０によって架設物を水平に架設させることができるのである。
【図面の簡単な説明】
【００２７】
【図１】本発明の実施の形態の例の軒先構造における軒樋を省いた分解斜視図である。
【図２】同上の側断面図である。
【図３】同上の介装板の斜視図である。
【図４】同上の介装板であり、（ａ）は正面図であり、（ｂ）は側面図であり、（ｃ）は下面図である。
【図５】同上の物干し竿を吊持させた例の正面図である。
【図６】従来技術の説明をする物干し竿を吊持させた例の正面図である。
【符号の説明】
【００２８】
１  軒樋吊り具
２  介装板
３  軒樋
４  鼻板
５  吊り下げ物
６  軒樋吊持腕
７  鼻板固定部
８  貫通穴
９  縦長穴
１０  フック部
１１  固定具
【図１】
0004966118.tif 000002
【図２】
0004966118.tif 000003
【図３】
0004966118.tif 000004
【図４】
0004966118.tif 000005
【図５】
0004966118.tif 000006
【図６】
0004966118.tif 000007